Podtech/llm-jp-corpus-v4-ja_patent huggingface dataset:
【誤訳訂正書】
【提出日】平成31年4月22日(2019.4.22)
【誤訳訂正１】
【訂正対象書類名】特許請求の範囲
【訂正対象項目名】全文
【訂正方法】変更
【訂正の内容】
【特許請求の範囲】
【請求項１】
金属合金又は金属マトリックス複合体材料からなる小部品を製造する方法であって、
‐金属合金又は金属マトリックス複合体材料の紛体を付け加えて連続的な層にすることによる積層造形によってプレフォームを作成するステップと、
‐前記プレフォームを、得られるべき前記小部品の最終的な形状を得る目的で、単一ステップで２つのダイ間において行われる鍛造工程にかけるステップと、
からなり、
前記プレフォームは、前記紛体が結合されていないか、又は部分的に固められた領域を含む、方法。
【請求項２】
前記金属合金からなる小部品は、鉄、アルミニウム、ニッケル、チタン、クロム、又はコバルトをベースとする合金からなることを特徴とする請求項１に記載の方法。
【請求項３】
前記金属マトリックス複合体材料からなる小部品は、チタン‐チタンカーバイド合金、アルミニウム‐アルミナ合金、又はアルミニウム‐シリコンカーバイド合金からなることを特徴とする請求項１に記載の方法。
【請求項４】
積層造形によって得られた前記プレフォームを鍛造するための前記鍛造工程は、半熱間又は冷間又は熱間で行われることを特徴とする請求項１〜３のいずれか一項に記載の方法。
【請求項５】
前記プレフォームは、中実のシェルの形状を有し、前記シェルの外側の輪郭において、前記紛体は結合されており、前記シェルの内側において、前記紛体は部分的に固められたか、又は固められていないことを特徴とする請求項１〜４のいずれか一項に記載の方法。
【請求項６】
請求項１〜５のいずれか一項に記載の方法を実行することによって得られる小部品又は部品。
【誤訳訂正２】
【訂正対象書類名】明細書
【訂正対象項目名】００２４
【訂正方法】変更
【訂正の内容】
【００２４】
単軸又は静水圧圧縮によって製造された紛体プレフォームを鍛造することは、すでに既知の方法である。本発明において使用される技術は、紛体が、結合された周縁部を有するプレフォーム内に閉じ込められた状態で保持されているという点で新規である。すべての紛体が結合されるわけではないという事実は、製造中のサイクルタイムのかなりの量を節約することを可能にする。積層造形中に紛体を焼結又は溶融するために、レーザー又は電子ビームが小部品のそれぞれの層の全面を掃引する必要がある。紛体の融合を、プレフォームの外側の輪郭線上でのみ、最適に行うことによって、結果的にプレフォームは、部分的に固められた又は固められていない紛体をその内側に閉じ込めておく中実の結合したシェルによって構成され、プレフォームが結合していない紛体で充填された中実のシェルの形状で得られる。このプレフォームを鍛造することは、最終的な小部品又は部品を得ることを可能にする。熱間変形中に紛体を結合することは、そのような製造が真空中で行われるので、材料の内側にガスが補足されないので、ＥＢＭによって製造されたプレフォームに特に効果的である。
【誤訳訂正書】
【提出日】平成31年1月24日(2019.1.24)
【誤訳訂正１】
【訂正対象書類名】特許請求の範囲
【訂正対象項目名】全文
【訂正方法】変更
【訂正の内容】
【特許請求の範囲】
【請求項１】
ダイナミック三次元ヘルスケア環境のための医療安全システムであって、
可動装置と、
検出システムと、
処理ユニットと、
インターフェースユニットとを有し、
前記検出システムが観察シーンの少なくとも一部の自由空間の複数の深さ情報を提供する少なくとも一つのセンサ装置を有し、
前記処理ユニットが前記深さ情報を互いに関連付ける関連付けユニットを有し、
前記処理ユニットが三次元自由空間モデルを生成する生成ユニットを有し、
前記関連付けユニットが前記関連付けられる深さ情報に基づいて自由空間を再構成し、
前記生成ユニットが前記再構成される自由空間を組み合わせて前記三次元自由空間モデルを生成し、
前記三次元自由空間モデルは、オブジェクト及び構造のない、運動のために使用されることができる空間を規定する空間データ又はボリュームデータであり、
前記インターフェースユニットが前記三次元自由空間モデルを前記可動装置に提供し、
前記処理ユニットが前記可動装置のための運動経路を計算し、当該運動経路が前記三次元自由空間モデル内部にある、
医療安全システム。
【請求項２】
前記検出システムがセンサ装置として少なくとも一つの飛行時間カメラを有する、請求項１に記載の医療安全システム。
【請求項３】
前記検出システムが、オブジェクトが複数の角度から複数のセンサによって見られるように配置される複数のセンサを有する、請求項１又は２に記載の医療安全システム。
【請求項４】
前記少なくとも一つのセンサが可動式に取付けられ、前記少なくとも一つのセンサの運動が検出され、前記検出されたセンサ位置の代わりに前記深さ情報が調節される、請求項１乃至３のいずれか一項に記載の医療安全システム。
【請求項５】
電動機器を持つ医療検査システムであって、
電動機能システムと、
請求項１乃至４のいずれか一項に記載の医療安全システムとを有し、
前記電動機能システムが少なくとも一つのタスクを実行する可動装置を有し、
前記可動装置の運動を前記安全システムによって提供される前記三次元自由空間モデル内部の運動に制限する、適応可能な運動制限装置が設けられる、
医療検査システム。
【請求項６】
前記電動機能システムが異なる投影からオブジェクトの画像データを収集する可動装置を持つ画像収集装置であり、前記画像収集装置がＣアーム構造の対向端に配置されるＸ線源とＸ線検出器を持つ可動Ｃアーム構造を有し、前記Ｃアーム構造の運動可能性が前記三次元自由空間モデルに制限される、請求項５に記載の医療検査システム。
【請求項７】
ダイナミック三次元ヘルスケア環境において安全な運動を提供するための方法であって、
ａ）観察シーンの少なくとも一部の自由空間の複数の深さ情報を提供するステップと、
ｂ）処理ユニットによって前記深さ情報を互いに関連付けるステップと、
ｃ）関連付けユニットによって前記関連付けられる深さ情報に基づいて自由空間を再構成するステップと、
ｄ）生成ユニットによって前記再構成される自由空間を組み合わせて三次元自由空間モデルを生成するステップと、
ｅ）前記三次元自由空間モデルを可動装置に提供するステップと、
ｆ）前記可動装置の運動経路を前記三次元自由空間モデル内部に位置付けるように計算するステップと
を有し、前記三次元自由空間モデルは、オブジェクト及び構造のない、運動のために使用されることができる空間を規定する空間データ又はボリュームデータである、方法。
【請求項８】
前記三次元自由空間モデルが電動機器を持つ医療検査システムの可動装置へ与えられ、前記可動装置が前記三次元自由空間モデル内で自由に動くことができる、請求項７に記載の方法。
【請求項９】
処理ユニットによって実行されるときに請求項７乃至８のいずれか一項に記載の方法のステップを実行するように構成される、請求項１乃至６のいずれか一項に記載のシステムを制御するためのコンピュータプログラム要素。
【請求項１０】
請求項９に記載のプログラム要素を記憶したコンピュータ可読媒体。
【誤訳訂正２】
【訂正対象書類名】明細書
【訂正対象項目名】００２４
【訂正方法】変更
【訂正の内容】
【００２４】
処理ユニット１４は関連付けユニット２４において深さ情報を用いて、深さ情報、例えば異なる空間セグメントからの複数の深さ情報を互いに関連付ける。そして生成ユニットは関連付けられた深さ情報から３Ｄ自由空間モデルを生成する。３Ｄ自由空間モデルは生成ユニット２６をあらわすボックスの内部に参照番号３２で概略的に示される。
【誤訳訂正３】
【訂正対象書類名】明細書
【訂正対象項目名】００２７
【訂正方法】変更
【訂正の内容】
【００２７】
例えば、関連付けユニット２４は深さ情報に基づいて自由空間を再構成し、生成ユニット２６は自由空間を組み合わせて３Ｄ自由空間モデル３２を生成する。
【手続補正書】
【提出日】平成31年3月26日(2019.3.26)
【手続補正１】
【補正対象書類名】特許請求の範囲
【補正対象項目名】全文
【補正方法】変更
【補正の内容】
【特許請求の範囲】
【請求項１】
物理アップリンク制御チャネル（ＰＵＣＣＨ）のための１つまたは複数の構成されたＰＵＣＣＨリソースを決定するように構成されたプロセッサであって、前記決定は、ハイブリッド自動再送要求肯定応答（ＨＡＲＱ−ＡＣＫ）ビットの個数に基づき、かつパラメータに基づく、プロセッサと、
アップリンク制御情報（ＵＣＩ）のための１つまたは複数のシンボルに基づき、かつＨＡＲＱ−ＡＣＫビットの前記個数に基づいて、前記ＰＵＣＣＨのフォーマットを決定するようにさらに構成された前記プロセッサと、
前記１つまたは複数のＰＵＣＣＨリソース上で前記ＰＵＣＣＨを送信するように構成されたトランシーバと
を備えたワイヤレス送信／受信ユニット（ＷＴＲＵ）。
【請求項２】
ショート送信時間間隔（ｓＴＴＩ）物理ダウンリンク制御チャネル（ｓＰＤＣＣＨ）を受信するように構成された前記トランシーバをさらに備え、ダウンリンクｓＴＴＩギャップが、ｓＰＤＣＣＨ領域と、前記ＰＵＣＣＨのためのアップリンクｓＴＴＩとの間に構成される、請求項１に記載のＷＴＲＵ。
【請求項３】
候補ｓＰＤＣＣＨ領域のセットは複数のｓＴＴＩを含む、請求項２に記載のＷＴＲＵ。
【請求項４】
ダウンリンクｓＴＴＩ長はアップリンクｓＴＴＩ長よりも短い、請求項２に記載のＷＴＲＵ。
【請求項５】
ダウンリンクＴＴＩと部分的に重複するダウンリンクショート送信時間間隔（ｓＴＴＩ）をさらに備える、請求項１に記載のＷＴＲＵ。
【請求項６】
アップリンク（ＵＬ）ショート送信時間間隔（ｓＴＴＩ）についての第１の情報を、ＵＬ  ＴＴＩについての第２の情報と並行して前記ＰＵＣＣＨ上で送信するようにさらに構成された前記トランシーバ
をさらに備える、請求項１に記載のＷＴＲＵ。
【請求項７】
前記ＵＬ  ｓＴＴＩは、前記ＵＬ  ＴＴＩと重複する複数のＵＬ  ｓＴＴＩのうちの１つである、請求項６に記載のＷＴＲＵ。
【請求項８】
ワイヤレス送信／受信ユニット（ＷＴＲＵ）によって実行される方法であって、
前記ＷＴＲＵによって、物理アップリンク制御チャネル（ＰＵＣＣＨ）のための１つまたは複数の構成されたＰＵＣＣＨリソースを決定するステップであって、前記決定は、ハイブリッド自動再送要求肯定応答（ＨＡＲＱ−ＡＣＫ）ビットの個数に基づき、かつパラメータに基づく、ステップと、
前記ＷＴＲＵによって、アップリンク制御情報（ＵＣＩ）のための１つまたは複数のシンボルに基づき、かつＨＡＲＱ−ＡＣＫビットの前記個数に基づいて、前記ＰＵＣＣＨのフォーマットを決定するステップと、
前記ＷＴＲＵによって、前記１つまたは複数のＰＵＣＣＨリソース上で前記ＰＵＣＣＨを送信するステップと
を備える方法。
【請求項９】
前記ＷＴＲＵによって、ショート送信時間間隔（ｓＴＴＩ）物理ダウンリンク制御チャネル（ｓＰＤＣＣＨ）を受信するステップをさらに備え、ダウンリンクｓＴＴＩギャップが、ｓＰＤＣＣＨ領域と、前記ＰＵＣＣＨのためのアップリンクｓＴＴＩとの間に構成される、請求項８に記載の方法。
【請求項１０】
候補ｓＰＤＣＣＨ領域のセットは複数のｓＴＴＩを含む、請求項９に記載の方法。
【請求項１１】
ダウンリンクｓＴＴＩ長はアップリンクｓＴＴＩ長よりも短い、請求項９に記載の方法。
【請求項１２】
ダウンリンクＴＴＩと部分的に重複するダウンリンクショート送信時間間隔（ｓＴＴＩ）をさらに備える、請求項８に記載の方法。
【請求項１３】
アップリンク（ＵＬ）ショート送信時間間隔（ｓＴＴＩ）についての第１の情報を、ＵＬ  ＴＴＩについての第２の情報と並行して前記ＰＵＣＣＨ上で送信するステップ
をさらに備える、請求項８に記載の方法。
【請求項１４】
前記ＵＬ  ｓＴＴＩは、前記ＵＬ  ＴＴＩと重複する複数のＵＬ  ｓＴＴＩのうちの１つである、請求項１３に記載の方法。
【手続補正書】
【提出日】令和1年11月5日(2019.11.5)
【手続補正１】
【補正対象書類名】特許請求の範囲
【補正対象項目名】全文
【補正方法】変更
【補正の内容】
【特許請求の範囲】
【請求項１】
テッセレーション処理中に、第１の詳細レベルをもつ画像の第１のゾーンをレンダリングするための手段と、
テッセレーション処理中に、第２の詳細レベルをもつ前記画像の第２のゾーンをレンダリングするための手段と、ここにおいて、前記第１の詳細レベルが、前記第２の詳細レベルよりも高く、
少なくとも１つのディスプレイ上に前記第１のゾーンと前記第２のゾーンとを提示するための手段と、
を備え、
ここにおいて、前記第１および第２のゾーンをレンダリングするための前記手段は、単一の描画呼出しにおいて前記第１および第２のゾーンをレンダリングするように構成された、装置。
【請求項２】
提示するための前記手段が、前記第１のゾーンと前記第２のゾーンとを提示するために、前記第１のゾーンと前記第２のゾーンとを少なくとも１つのディスプレイに送るための手段を備える、または
第１の車両ウィンドウ上に前記第１のゾーンを提示し、第２の車両ウィンドウ上に前記第２のゾーンを提示するための手段をさらに備える、
請求項１に記載の装置。
【請求項３】
前記少なくとも１つのディスプレイが、ウィンドウプロジェクタまたは一体型ウィンドウディスプレイパネルである、請求項１に記載の装置。
【請求項４】
提示するための前記手段が、第１の車両ウィンドウ上に前記第１のゾーンを提示し、第２の車両ウィンドウ上に前記第２のゾーンを提示するように構成された、請求項１に記載の装置。
【請求項５】
前記第１のウィンドウが前面ウインドシールドであり、前記第２のウィンドウが、車両の別のウィンドウである、請求項４に記載の装置。
【請求項６】
提示するための前記手段が、車両ウィンドウの第１のセクション上に前記第１のゾーンを提示し、前記車両ウィンドウの第２のセクション上に前記第２のゾーンを提示するように構成された、請求項２に記載の装置。
【請求項７】
前記第１のセクションが、ウインドシールドの一方の側のセクションであり、前記第２のセクションが、前記ウインドシールドの他方の側のセクションである、または
前記第１のセクションが、ウインドシールドにわたる第１の水平バーであり、前記第２のセクションが、前記ウインドシールドにわたる第２の水平バーである、
請求項６に記載の装置。
【請求項８】
第１のユーザと第２のユーザとを含む複数のユーザについてアイトラッキングを実行するための手段と、
前記第１および第２のゾーンを前記レンダリングすることに優先度を付けるための手段と、ここにおいて、前記第１および第２のゾーンを前記レンダリングすることに優先度を付けることは、前記第１のゾーンが前記第１のユーザに対する提示のためのものであり、前記第２のゾーンが前記第２のユーザに対する提示のためのものであり、かつ前記第１のユーザが、前記第２のユーザよりも優先されていることに基づいて、前記第２のゾーンについての前記第２の詳細レベルよりも高い前記第１の詳細レベルをもつ前記第１のゾーンをレンダリングすることを備える、
をさらに備える、請求項１に記載の装置。
【請求項９】
前記装置が、車両中の取外し可能なモジュールの少なくとも一部である、請求項１に記載の装置。
【請求項１０】
前記装置が、仮想現実（ＶＲ）ヘッドセットなどのＶＲデバイスの少なくとも一部である、請求項１に記載の装置。
【請求項１１】
前記第１および第２のゾーンをレンダリングするための前記手段は、前記単一の描画呼出しにおいて異なる前記詳細レベルをレンダリングするために、メモリに非同期的にアクセスするように構成された、請求項１に記載の装置。
【請求項１２】
前記第１および第２のゾーンをレンダリングするための前記手段は、１つまたは複数のフレームバッファの異なるサブセットにアクセスするように構成された非一様フレームバッファコントローラを備え、前記フレームバッファの前記異なるサブセットが、異なる前記詳細レベルに対応する、請求項１に記載の装置。
【請求項１３】
前記第１および第２のゾーンをレンダリングするための前記手段は、超長命令語（ＶＬＩＷ）回路を備える、請求項１に記載の装置。
【請求項１４】
電子デバイスによって実行される方法であって、前記方法は、
テッセレーション処理中に、第１の詳細レベルをもつ画像の第１のゾーンをレンダリングすることと、
テッセレーション処理中に、第２の詳細レベルをもつ前記画像の第２のゾーンをレンダリングすることと、ここにおいて、前記第１の詳細レベルが、前記第２の詳細レベルよりも高く、
少なくとも１つのディスプレイ上に前記第１のゾーンと前記第２のゾーンとを提示することと、
を備え、
ここにおいて、前記電子デバイスは、単一の描画呼出し中に、前記第１および第２のゾーンをレンダリングする、方法。
【請求項１５】
その上に命令を有する非一時的な有形コンピュータ可読媒体を備える、コンピュータプログラム製品であって、前記命令は、
電子デバイスに、テッセレーション処理中に、第１の詳細レベルをもつ画像の第１のゾーンをレンダリングさせるためのコードと、
前記電子デバイスに、テッセレーション処理中に、第２の詳細レベルをもつ前記画像の第２のゾーンをレンダリングさせるためのコードと、ここにおいて、前記第１の詳細レベルが、前記第２の詳細レベルよりも高く、
前記電子デバイスに、少なくとも１つのディスプレイ上に前記第１のゾーンと前記第２のゾーンとを提示させるためのコードと、
を備え、
ここにおいて、前記コードは、前記電子デバイスに、単一の描画呼出し中に、前記第１および第２のゾーンをレンダリングさせる、コンピュータプログラム製品。
【手続補正書】
【提出日】令和1年11月7日(2019.11.7)
【手続補正１】
【補正対象書類名】特許請求の範囲
【補正対象項目名】全文
【補正方法】変更
【補正の内容】
【特許請求の範囲】
【請求項１】
排気システムのための加熱システムであって、
排気流体の流れの経路内に配置された少なくとも１つの電気ヒータであって、被覆を備える少なくとも１つの電気ヒータと、
マイクロプロセッサを含み、前記少なくとも１つの電気ヒータに接続される制御装置であって、予め定義されたモデルと少なくとも１つの入力とに基づいて被覆温度を決定するように構成される制御装置とを具備し、前記制御装置は、前記算出された被覆温度に基づいて前記少なくとも１つの電気ヒータに電力を供給するように構成される加熱システム。
【請求項２】
前記少なくとも１つの電気ヒータは、バンドヒータ、裸線抵抗発熱要素、ケーブルヒータ、カートリッジヒータ、層状ヒータ、ストリップヒータ、および管状ヒータからなるグループから選択される請求項１記載の加熱システム。
【請求項３】
前記制御装置は、設定値、質量流量、入口温度、またはそれらの組み合わせを含む入力を用いて前記被覆温度を決定するように構成される請求項１記載の加熱システム。
【請求項４】
前記制御装置は、放熱効果に関連付けられた入力を受け取るように動作可能である請求項１記載の加熱システム。
【請求項５】
前記制御装置は、設定値、質量流量、入口温度、またはそれらの組み合わせを含む入力を用いて前記被覆温度を決定するように構成され、さらに、前記質量流量は、測定された多岐管における絶対圧力（ＭＡＰ）、入口の質量空気流量と燃料消費量との組み合わせ、またはそれらの組み合わせを含むパラメータによって決定される請求項１記載の加熱システム。
【請求項６】
請求項１記載の前記加熱システムを備えるエンジンシステム。
【請求項７】
前記制御装置は、複数のエンジンパラメータ、複数の排気パラメータ、電力出力、複数のヒータパラメータ、またはそれらの組み合わせを含むエンジン入力を受け取るように適合し、前記制御装置は、電力消費量、排気温度、ヒータ温度、診断、排気質量流量、またはそれらの組み合わせを含む出力を生成するように動作可能である請求項６記載のエンジンシステム。
【請求項８】
前記加熱システムは、劣化させるエンジンシステムの構成要素を診断するように動作可能である請求項６記載のエンジンシステム。
【請求項９】
前記加熱システムは、エンジン制御部と通信し、決定されたパラメータが予め決められたパラメータと一致しない場合、診断トラブルコードを引き起こすように適合する請求項８記載のエンジンシステム。
【請求項１０】
前記少なくとも１つの電気ヒータは抵抗発熱要素を含む請求項１記載の加熱システム。
【請求項１１】
排気システムのための加熱システムであって、
排気流体の流れの経路内に配置される少なくとも１つの電気ヒータであって、複数の発熱要素と被覆とを備える少なくとも１つの電気ヒータと、
前記少なくとも１つの電気ヒータに接続される制御装置とを具備し、前記制御装置は、少なくとも１つの入力を受信するように構成され、前記入力は、排気流体の流れの質量流量、流体入口温度、出口温度、またはそれらの組み合わせを含み、
前記制御装置は、前記入力に基づいて被覆温度を決定し、前記決定された被覆温度に基づいて前記少なくとも１つの電気ヒータに電力を供給するように構成される、加熱システム。
【請求項１２】
前記制御装置は、以下の式に基づいて前記被覆温度を決定するように構成され、
【数１】
2019510916.tif 000001
請求項１１記載の加熱システム。
【請求項１３】
前記制御装置は、以下の式に基づいて前記被覆温度を決定するように構成され、
【数２】
2019510916.tif 000002
請求項１１記載の加熱システム。
【請求項１４】
前記制御装置は、以下の式に基づいて第１発熱要素の発熱要素出口温度を決定するように構成され、
【数３】
2019510916.tif 000003
請求項１１記載の加熱システム。
【請求項１５】
前記少なくとも１つの入力は、排気流体の流れの質量流量、排気流体の流れの質量速度、前記少なくとも１つの電気ヒータの上流の流れ温度、前記少なくとも１つの電気ヒータの下流の流れ温度、前記少なくとも１つの電気ヒータに入力される電力、前記加熱システムの物理特性に由来する複数のパラメータ、またはそれらの組み合わせを含む、請求項１記載の加熱システム。
【請求項１６】
前記制御装置は、以下の式に基づいて前記被覆温度を決定するように構成され、
【数４】
2019510916.tif 000004
請求項１記載の加熱システム。
【請求項１７】
前記制御装置は、以下の式に基づいて前記被覆温度を決定するように構成され、
【数５】
2019510916.tif 000005
請求項１記載の加熱システム。
【手続補正２】
【補正対象書類名】明細書
【補正対象項目名】発明の名称
【補正方法】変更
【補正の内容】
【発明の名称】加熱システム
【手続補正書】
【提出日】平成31年4月8日(2019.4.8)
【手続補正１】
【補正対象書類名】特許請求の範囲
【補正対象項目名】全文
【補正方法】変更
【補正の内容】
【特許請求の範囲】
【請求項１】
式（Ｉ）
【化１】
2019510027.tif 000001
を有する化合物、その立体異性体型、薬学的に許容される塩、溶媒和物または多形体であって、前記化合物が
【化２】
2019510027.tif 000002
【化３】
2019510027.tif 000003
を含む群から選択される、化合物、その立体異性体型、薬学的に許容される塩、溶媒和物または多形体。
【請求項２】
請求項１に記載の化合物、またはその立体異性体型、その薬学的に許容される塩、溶媒和物もしくは多形体を、１種以上の薬学的に許容される添加剤、希釈剤または担体とともに含む医薬組成物。
【請求項３】
医薬として使用するための、請求項２に記載の医薬組成物。
【請求項４】
デング熱の治療に使用するための、請求項２に記載の医薬組成物。
【請求項５】
生体試料または患者におけるデングウイルスの複製を阻害するための、請求項２に記載の医薬組成物。
【請求項６】
追加の治療剤を併用投与するように用いられる、請求項２〜５のいずれか１項に記載の医薬組成物。
【請求項７】
前記追加の治療剤が、抗ウイルス剤もしくはデング熱ワクチン、またはその両方から選択される、請求項６に記載の医薬組成物。
【請求項８】
前記化合物が、
【化４】
2019510027.tif 000004
から選択される請求項１に記載の化合物、またはその薬学的に許容される塩、溶媒和物もしくは多形体。
【請求項９】
請求項８に記載の化合物、その薬学的に許容される塩、溶媒和物または多形体を、１種以上の薬学的に許容される添加剤、希釈剤または担体とともに含む医薬組成物。
【請求項１０】
医薬として使用するための、請求項９に記載の医薬組成物。
【請求項１１】
デング熱の治療に使用するための、請求項９に記載の医薬組成物。
【請求項１２】
生体試料または患者におけるデングウイルスの複製を阻害するための、請求項９に記載の医薬組成物。
【請求項１３】
追加の治療剤を併用投与するように用いられる、請求項９〜１２のいずれか１項に記載の医薬組成物。
【請求項１４】
前記追加の治療剤が、抗ウイルス剤もしくはデング熱ワクチン、またはその両方から選択される、請求項１３に記載の医薬組成物。
【手続補正２】
【補正対象書類名】明細書
【補正対象項目名】０１８１
【補正方法】変更
【補正の内容】
【０１８１】
【表１８】
2019510027.tif 000005
本発明は以下の態様を包含し得る。
［１］  式（Ｉ）
【化２５−１】
2019510027.tif 000006
を有する化合物、その立体異性体型、薬学的に許容される塩、溶媒和物または多形体であって、前記化合物が
【化２５−２】
2019510027.tif 000007
【化２５−３】
2019510027.tif 000008
を含む群から選択される、化合物、その立体異性体型、薬学的に許容される塩、溶媒和物または多形体。
［２］  上記［１］に記載の化合物、またはその立体異性体型、その薬学的に許容される塩、溶媒和物もしくは多形体を、１種以上の薬学的に許容される添加剤、希釈剤または担体とともに含む医薬組成物。
［３］  医薬として使用するための、上記［１］に記載の化合物もしくはその立体異性体型、その薬学的に許容される塩、溶媒和物もしくは多形体、または上記［２］に記載の医薬組成物。
［４］  デング熱の治療に使用するための、上記［１］に記載の化合物もしくはその立体異性体型、その薬学的に許容される塩、溶媒和物もしくは多形体、または上記［２］に記載の医薬組成物。
［５］  生体試料または患者におけるデングウイルスの複製を阻害するための、一置換または二置換インドール基を含む、上記［１］に記載の構造式のうちいずれかで表される化合物、その立体異性体型、薬学的に許容される塩、溶媒和物または多形体の使用。
［６］  追加の治療剤を併用投与する工程をさらに含む、上記［６］に記載の化合物の使用。
［７］  前記追加の治療剤が、抗ウイルス剤もしくはデング熱ワクチン、またはその両方から選択される、上記［６］に記載の使用。
［８］  前記化合物であって、
【化２５−４】
2019510027.tif 000009
から選択される上記［１］に記載の化合物、またはその薬学的に許容される塩、溶媒和物もしくは多形体。
［９］  上記［８］に記載の化合物、その薬学的に許容される塩、溶媒和物または多形体を、１種以上の薬学的に許容される添加剤、希釈剤または担体とともに含む医薬組成物。
［１０］  医薬として使用するための、上記［８］に記載の化合物、その薬学的に許容される塩、溶媒和物もしくは多形体、または上記［８］に記載の医薬組成物。
［１１］  デング熱の治療に使用するための、上記［８］に記載の化合物、その薬学的に許容される塩、溶媒和物もしくは多形体、または上記［１０］に記載の医薬組成物。
［１２］  生体試料または患者におけるデングウイルスの複製を阻害するための、一置換または二置換インドール基を含む、上記［８］に記載の構造式のうちいずれかで表される化合物、その薬学的に許容される塩、溶媒和物または多形体の使用。
［１３］  追加の治療剤を併用投与する工程をさらに含む、上記［１２］に記載の使用。
［１４］  前記追加の治療剤が、抗ウイルス剤もしくはデング熱ワクチン、またはその両方から選択される、上記［１３］に記載の使用。
【手続補正書】
【提出日】令和1年9月11日(2019.9.11)
【手続補正１】
【補正対象書類名】特許請求の範囲
【補正対象項目名】全文
【補正方法】変更
【補正の内容】
【特許請求の範囲】
【請求項１】
原料ポリスチレン樹脂から得られる、５，０００ダルトンを超える数平均分子量を有する解重合ポリスチレン樹脂を含み、さらに、着色剤及び／又はエネルギー硬化性成分及び／又は光開始剤のうち１つ以上を含む、インクまたはコーティング組成物。
【請求項２】
前記原料ポリスチレン樹脂が、ポリスチレン製造プロセスまたはポリスチレン成形品を製造するためのプロセスで製造されたスクラップポリスチレン樹脂を含み、及び／又は、前記原料ポリスチレン樹脂がポリスチレンフォームであり、及び／又は、前記原料ポリスチレン樹脂が、汎用ポリスチレン、耐衝撃性ポリスチレン、アクリロニトリル−ブタジエン−スチレン樹脂、押出ポリスチレンフォーム、および発泡スチロールのうちの１つから選択される、請求項１に記載のインクまたはコーティング組成物。
【請求項３】
前記解重合ポリスチレン樹脂が、ビニル、飽和、またはオキシ置換された末端を有する、請求項１に記載のインクまたはコーティング組成物。
【請求項４】
前記解重合ポリスチレン樹脂が、スチレン以外のモノマー、オリゴマーまたはポリマーで変性されている、及び／又は前記解重合ポリスチレン樹脂が、スチレンまたはポリスチレンを含むモノマー、オリゴマーまたはポリマーで変性されている、請求項１に記載のインクまたはコーティング組成物。
【請求項５】
前記モノマー、オリゴマーまたはポリマーが、（メタ）アクリレート、スチレン、（メタ）アクリル酸、（メタ）アクリル酸のエステル、それらのポリマー、コポリマー、それらのターポリマー、およびそれらの組み合わせを含む、請求項４に記載のインクまたはコーティング組成物。
【請求項６】
前記解重合ポリスチレン樹脂が、組成物の総量を基準にして１〜９０重量％の量で存在する、請求項１〜５のいずれか一項に記載のインクまたはコーティング組成物。
【請求項７】
２５℃において２５００ｓ−１の剪断速度で４Ｐａ・ｓｅｃ〜２０Ｐａ・ｓｅｃの粘度を有する、請求項１〜５のいずれか一項に記載のインクまたはコーティング組成物。
【請求項８】
２５℃において２５００ｓ−１の剪断速度で５Ｐａ・ｓｅｃ〜１０Ｐａ・ｓｅｃの粘度を有する、請求項７に記載のインクまたはコーティング組成物。
【請求項９】
２５℃において２．５ｓ−１の剪断速度で、４０Ｐａ・ｓｅｃ〜２００Ｐａ・ｓｅｃの流動値（降伏値）を有する、請求項１〜５のいずれか一項に記載のインクまたはコーティング組成物。
【請求項１０】
１２００ｒｐｍ、９０°Ｆ、Ｔｈｗｉｎｇ−Ａｌｂｅｒｔインコメータで、タック単位５（ｇ-メートル）〜タック単位２０（ｇ-メートル）のタックを有する、請求項１〜５のいずれか一項に記載のインクまたはコーティング組成物。
【請求項１１】
１２００ｒｐｍ、９０°Ｆ、Ｔｈｗｉｎｇ−Ａｌｂｅｒｔインコメータで、でタック単位５（ｇ-メートル）〜タック単位１０（ｇ-メートル）のタックを有する、請求項１０に記載のインクまたはコーティング組成物。
【請求項１２】
前記原料ポリスチレン樹脂に匹敵する分子量値を有するポリスチレン樹脂を含むインクまたはコーティング組成物と比較して、改善された安定性を呈する、請求項１〜５のいずれか一項に記載のインクまたはコーティング組成物。
【手続補正書】
【提出日】令和1年6月18日(2019.6.18)
【手続補正１】
【補正対象書類名】特許請求の範囲
【補正対象項目名】全文
【補正方法】変更
【補正の内容】
【特許請求の範囲】
【請求項１】
固体分散体であって、
パルボシクリブまたはその薬学的に許容可能な塩、
酸性補助材料、および、
親水性の高分子量物質、を含む、
固体分散体。
【請求項２】
固体分散体が非晶質の固体分散体である、請求項１に記載の固体分散体。
【請求項３】
酸性補助材料が１つ以上の薬学的に許容可能な有機酸および随意に１つ以上の薬学的に許容可能な無機酸から選択される、請求項１または２に記載の固体分散体。
【請求項４】
薬学的に許容可能な有機酸が酒石酸、フマル酸、コハク酸、クエン酸、乳酸、リンゴ酸、脂肪族スルホン酸、および芳香族スルホン酸から成る群から選択される、請求項３に記載の固体分散体。
【請求項５】
脂肪族スルホン酸がメタンスルホン酸、エタンスルホン酸およびイセチオン酸から成る群から選択され、芳香族スルホン酸がベンゼンスルホン酸およびｐトルエンスルホン酸から成る群から選択される、請求項４に記載の固体分散体。
【請求項６】
薬学的に許容可能な無機酸が塩酸、硫酸、およびリン酸から成る群から選択される、請求項３に記載の固体分散体。
【請求項７】
親水性の高分子量物質が、ポビドンＫ３０、コポビドンＶＡ６４（ＰＶＰ  ＶＡ６４）、Ｓｏｌｕｐｌｕｓ、ヒドロキシプロピルメチルセルロースＥ５、ヒドロキシプロピルメチルセルロースアセテートスクシネート、ヒドロキシプロピル−β−シクロデキストリン、およびスルホブチルエーテル−β−シクロデキストリンから成る群から選択される１つ以上である、請求項１−６のいずれか１つに記載の固体分散体。
【請求項８】
親水性の高分子量物質がコポビドンＶＡ６４である、請求項１−７のいずれか１つに記載の固体分散体。
【請求項９】
酸性補助材料が酒石酸である、請求項１−８のいずれか１つに記載の固体分散体。
【請求項１０】
酸性補助材料対パルボシクリブの質量比が０．２：１から５：１までである、請求項１−９のいずれか１つに記載の固体分散体。
【請求項１１】
親水性の高分子量物質対パルボシクリブの質量比が、０．１：１から１０：１までである、請求項１−１０のいずれか１つに記載の固体分散体。
【請求項１２】
パルボシクリブまたはその薬学的に許容可能な塩が、６０分間ｐＨ６．０の溶液で８０％を超える溶解率を有する、請求項１−１１のいずれか１つに記載の固体分散体。
【請求項１３】
ａ）パルボシクリブまたはその薬学的に許容可能な塩が５０−２００ｍｇの量で存在し、
ｂ）酸性補助材料が５０−２００ｍｇの量で存在する酒石酸であり、
ｃ）親水性の高分子量物質が５０−２００ｍｇの量で存在するＰＶＰ  ＶＡ６４である、請求項１または２に記載の固体分散体。
【請求項１４】
パルボシクリブまたはその薬学的に許容可能な塩が５０−１５０ｍｇの量で存在する、請求項１または１３のいずれか１つに記載の固体分散体。
【請求項１５】
癌、随意に乳癌、随意に転移性乳癌の処置で使用される請求項１−１４のいずれか１つに記載の固体分散体。
【手続補正書】
【提出日】令和1年11月12日(2019.11.12)
【手続補正１】
【補正対象書類名】明細書
【補正対象項目名】００１１
【補正方法】変更
【補正の内容】
【００１１】
ヒドロゲルは、ゲル性質及び柔らかい皮膚粘着を提供し、また高濃度の水ゆえ、皮膚に対し冷却的となりうる。ポリウレタンは、優れたゲル性質及び皮膚からの柔らかい除去を提供するが、いくらかの処理困難を提供しうる。粘着性物質より柔らかい標準的な圧力感受性アクリル樹脂は、いくらかのゲル性質を提供するためにより高いコーティング重量にてコーティングされうるが、粘り強度は一般にシリコーンよりもずっと高く、粘着性物質の総合的感触を、いくらかは柔らかいながらも、なおもシリコーンとはかなり異なったものとする。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  欧州特許出願公開第１０６０７１９号明細書
（特許文献２）  特開２００７−２０９５１５号公報
（特許文献３）  国際公開第２０１１／１２０５０７号
（特許文献４）  国際公開第２０１５／１２４６６９号
（特許文献５）  国際公開第２０１４／１６８７２６号
（特許文献６）  米国特許第５，８１０，７５６号明細書
（特許文献７）  国際公開第２０１２／０２７３７７号
（非特許文献）
（非特許文献１）  ＤＡＴＡＢＡＳＥ  ＷＰＩ  Ｗｅｅｋ  ２００７７８  Ｔｈｏｍｓｏｎ  Ｓｃｉｅｎｔｉｆｉｃ，Ｌｏｎｄｏｎ，ＧＢ；  ＡＮ  ２００７−８３５５４７
（非特許文献２）  Ａｌａｎ  Ｎｅｉｌ："Ｉｎｎｏｖａｔｉｖｅ  Ｎｏｎ−Ｓｉｌｉｃｏｎｅ  Ｌｏｗ  Ｔｒａｕｍａ  Ａｄｈｅｓｉｖｅｓ  ｖｅｒｓｕｓ  Ｔｒａｄｉｔｉｏｎａｌ  Ｓｉｌｉｃｏｎｅ  Ｔｅｃｈｎｏｌｏｇｙ  Ａ  Ｒｅｖｉｅｗ  ａｎｄ  Ｃｏｍｐａｒｉｓｏｎ"，１  Ｊａｎｕａｒｙ  ２０１６（２０１６−０１−０１）
（非特許文献３）  Ｇｏｚｄｅ  Ｋａｒａｂｉｙｉｋ："Ｎｏｎｓｉｌｉｃｏｎｅ  Ａｄｈｅｓｉｖｅｓ  ｆｏｒ  Ｌｏｗ−Ｔｒａｕｍａ  Ｓｋｉｎ  Ｂｏｎｄｉｎｇ"，ＭＥＤＩＣＡＬ  ＤＥＶＩＣＥ  &  ＤＩＡＧＮＯＳＴＩＣ  ＩＮＤＵＳＴＲＹ，１  Ｆｅｂｒｕａｒｙ  ２０１３（２０１３−０２−０１）
【手続補正書】
【提出日】令和1年5月14日(2019.5.14)
【手続補正１】
【補正対象書類名】明細書
【補正対象項目名】０００６
【補正方法】変更
【補正の内容】
【０００６】
熱分解雰囲気の影響は、制限された範囲までしか研究されなかった。Ｓｕｄａ及びＨａｒａｙａは、異なる環境下でのＣＭＳ膜の構造を開示した。（Ｈ．Ｓｕｄａ  ａｎｄ  Ｋ．Ｈａｒａｙａ，Ｇａｓ  Ｐｅｒｍｅａｔｉｏｎ  Ｔｈｒｏｕｇｈ  Ｍｉｃｒｏｐｏｒｅｓ  ｏｆ  Ｃａｒｂｏｎ  Ｍｏｌｅｃｕｌａｒ  Ｓｉｅｖｅ  Ｍｅｍｂｒａｎｅｓ  Ｄｅｒｉｖｅｄ  Ｆｒｏｍ  Ｋａｐｔｏｎ  Ｐｏｌｙｉｍｉｄｅ，Ｊ．Ｐｈｙｓ．Ｃｈｅｍ．Ｂ，１０１，３９８８（１９９７）。）ＣＭＳ高密度フィルムは、アルゴン下または真空下のいずれかにおいて１０００℃でポリイミドＫａｐｔｏｎ（登録商標）から調製された。それらのガス分離特性に従って、Ｏ２／Ｎ２分離の結果は、異なる雰囲気下で形成された６膜の間でほぼ同じであった。Ｓｕｄａ及びＨａｒａｙａは、天然ガスからのＣＯ２分離における雰囲気の効果、または分離特性が能力及び低費用によってどのように変化するかを開示しなかった。同様に、Ｇｅｉｓｚｌｅｒ及びＫｏｒｏｓは、Ｏ２／Ｎ２及びＨ２／Ｎ２分離の両方に対する、ヘリウム及びアルゴン中でのフッ素化ポリイミドの熱分解によって生成されるＣＭＳ繊維の結果を開示した。（Ｖ．Ｃ．ＧＥＩＳＺＬＥＲ  ａｎｄ  Ｗ．Ｊ．Ｋｏｒｏｓ，“Ｅｆｆｅｃｔｓ  ｏｆ  Ｐｏｌｙｉｍｉｄｅ  Ｐｙｒｏｌｙｓｉｓ  Ｃｏｎｄｉｔｉｏｎｓ  ｏｎ  Ｃａｒｂｏｎ  Ｍｏｌｅｃｕｌａｒ  Ｓｉｅｖｅ  Ｍｅｍｂｒａｎｅ  Ｐｒｏｐｅｒｔｉｅｓ，”Ａｍｅｒｉｃａｎ  Ｃｈｅｍｉｃａｌ  Ｓｏｃｉｅｔｙ，１９９６，ｖ．３５，ｎｏ．９，ｐｐ．２９９９−３００３）。この文書は、パージされた熱分解プロセスよりも、真空熱分解による若干高い選択性を開示した。加えて、Ｇｅｉｓｚｌｅｒ及びＫｏｒｏｓは、パージガスの流量が性能に影響を与えたことを示した。米国特許第８，４８６，１７９号では、熱分解雰囲気中で少ない酸素の量を有する雰囲気の使用の効果が記載された。
【手続補正書】
【提出日】平成31年3月25日(2019.3.25)
【手続補正１】
【補正対象書類名】特許請求の範囲
【補正対象項目名】全文
【補正方法】変更
【補正の内容】
【特許請求の範囲】
【請求項１】
ＧＦＲＡＬ受容体を作動する化合物と、１つ以上の薬学的に許容される賦形剤とを含む薬学的組成物。
【請求項２】
ＧＦＲＡＬ受容体を拮抗し、阻害し、中和し、またはブロックする化合物と、１つ以上の薬学的に許容される賦形剤とを含む薬学的組成物。
【請求項３】
ＧＬＰ−１、インスリン、インスリン類似体、ＤＰＰ−４阻害剤、ＳＧＬＴ２阻害剤、及びグルカゴンのうちの１つ以上を更に含む、請求項１または２に記載の組成物。
【請求項４】
前記化合物と、ＧＬＰ−１、インスリン、インスリン類似体、ＤＰＰ−４阻害剤、ＳＧＬＴ２阻害剤、及びグルカゴンのうちの１つ以上とが融合されている、請求項３に記載の組成物。
【請求項５】
哺乳動物における血中グルコースを低下させるための、請求項１、３または４のいずれか一項に記載の組成物。
【請求項６】
哺乳動物における血中グルコースを増加させるための、請求項２〜４のいずれか一項に記載の組成物。
【請求項７】
哺乳動物における体重を減少させるための、請求項１、３または４のいずれか一項に記載の組成物。
【請求項８】
哺乳動物における体重を増加させるための、請求項２〜４のいずれか一項に記載の組成物。
【請求項９】
哺乳動物における糖尿病の治療のための、請求項１、３または４のいずれか一項に記載の組成物。
【請求項１０】
哺乳動物における肥満症の治療のための、請求項１、３または４のいずれか一項に記載の組成物。
【請求項１１】
哺乳動物における悪液質の治療のための、請求項２〜４のいずれか一項に記載の組成物。
【請求項１２】
前記化合物が、ＧＤＦ１５の結合を阻害することによって、前記ＧＦＲＡＬ受容体をブロックする、請求項６、８または１１のいずれか一項に記載の組成物。
【請求項１３】
前記化合物が、抗体またはその断片を含む、請求項１〜１２のいずれか一項に記載の組成物。
【請求項１４】
前記哺乳動物がヒトである、請求項５〜１３のいずれか一項に記載の組成物。
【請求項１５】
前記ＧＦＲＡＬ受容体が、配列番号４のアミノ酸配列を有し、前記ＧＤＦ１５が、配列番号２のアミノ酸配列を有する、請求項１４に記載の組成物。
【請求項１６】
前記哺乳動物がマウスである、請求項５〜１３のいずれか一項に記載の組成物。
【請求項１７】
前記ＧＦＲＡＬ受容体が、配列番号９のアミノ酸配列を有し、前記ＧＤＦ１５が、配列番号７のアミノ酸配列を有する、請求項１６に記載の組成物。
【請求項１８】
ＧＦＲＡＬ受容体を作動する単離された化合物。
【請求項１９】
ＧＦＲＡＬ受容体を拮抗し、阻害し、中和し、またはブロックする単離された化合物。
【請求項２０】
前記化合物が、抗体またはその断片である、請求項１８または１９に記載の化合物。
【請求項２１】
前記抗体またはその断片が、ＧＦＲＡＬ上のＧＤＦ１５と同じエピトープまたはアミノ酸領域に結合する、請求項２０に記載の化合物。
【請求項２２】
前記化合物が、ＧＦＲＡＬ上のＧＤＦ１５と同じエピトープまたはアミノ酸領域に結合するペプチドまたはタンパク質である、請求項１８または１９に記載の化合物。
【請求項２３】
（ａ）不溶性ヒトＧＦＲＡＬ受容体のＧＤＦ１５結合可溶性断片であって、前記不溶性ヒトＧＦＲＡＬ受容体が、ヒトＧＤＦ１５に特異的に結合する、ＧＤＦ１５結合可溶性断片と、（ｂ）ヒト免疫グロブリンＩｇＧ重鎖の定常領域の、前記定常領域の第１のドメイン以外のドメインの全てと、を含むタンパク質であって、ヒトＧＤＦ１５に特異的に結合する、タンパク質。
【請求項２４】
前記不溶性ヒトＧＦＲＡＬ受容体が、配列番号４を含む、請求項２３に記載のタンパク質。
【請求項２５】
前記タンパク質が、前記不溶性ヒトＧＦＲＡＬ受容体の細胞外領域と、ヒトＩｇＧ１免疫グロブリン重鎖の定常領域の、前記定常領域の第１のドメイン以外の全てのドメインとから本質的になる、請求項２３に記載のタンパク質。
【手続補正書】
【提出日】令和1年7月29日(2019.7.29)
【手続補正１】
【補正対象書類名】特許請求の範囲
【補正対象項目名】全文
【補正方法】変更
【補正の内容】
【特許請求の範囲】
【請求項１】
−  直腸、膣または尿道適用のための装置において使用するための油脂性基剤、
−  前記基剤中に含有または溶解されている、一般式（Ｉ）
【化１】
2019510830.tif 000001
（式中、
Ｒ１は、ＨまたはＲＡＣＯ（式中、ＲＡは、Ｃ１〜１０アルキルまたはアミノ酸である）であり、
Ｒ２は、Ｈ、ＯＨまたはＲＢ（式中、ＲＢは、アミノ酸である）もしくはＣＯＲＡ（式中、ＲＡは、先に定義された通りである）であり、
ＡおよびＢは、これらの間の原子と一緒に、
【化２】
2019510830.tif 000002
からなる群から選択される６員環を形成し、式中、
Ｒ４は、Ｈ、ＣＯＲＤ（式中、ＲＤは、Ｈ、ＯＨ、Ｃ１〜１０アルキルまたはアミノ酸である）ＣＯＲＥ（式中、ＲＥは、Ｈ、Ｃ１〜１０アルキルまたはアミノ酸である）、ＣＯＯＨ、またはＣＯＮＨＲＥ（式中、ＲＥは、先に定義された通りである）であり、
Ｒ５は、Ｈであり、
Ｘは、Ｏ、ＮまたはＳであり、
Ｙは、
【化３】
2019510830.tif 000003
であり、
式中、Ｒ７は、ＨまたはＣ１〜１０アルキルであり、および
【化４】
2019510830.tif 000004
は、単結合または二重結合のいずれかを表す）
の化合物
を含む組成物。
【請求項２】
Ｘは、Ｏである、請求項１に記載の組成物。
【請求項３】
前記式（Ｉ）の化合物は、
【化５】
2019510830.tif 000005
【化６】
2019510830.tif 000006
からなる群から選択され、式中、
Ｒ８は、ＨまたはＣＯＲＤ（式中、ＲＤは、先に定義された通りである）であり、
Ｒ９は、ＣＯＲＥ（式中、ＲＥは、先に定義された通りである）であり、
Ｒ１１は、ＨまたはＯＨであり、
Ｒ１２は、Ｈ、ＣＯＯＨ、またはＣＯＮＨＲＥ（式中、ＲＥは、先に定義された通りである）であり、および
【化７】
2019510830.tif 000007
は、単結合または二重結合のいずれかを表す、請求項１または２に記載の組成物。
【請求項４】
前記式（Ｉ）の化合物は、
【化８】
2019510830.tif 000008
である、請求項１〜３のいずれか一項に記載の組成物。
【請求項５】
前記化合物は、０．０２〜３５ｗ／ｗ％製剤の量で製剤中に提供される、請求項１〜４のいずれか一項に記載の組成物。
【請求項６】
前記化合物は、０．１〜２０ｗ／ｗ％製剤の量で製剤中において提供される、請求項１〜５のいずれか一項に記載の組成物。
【請求項７】
前記化合物は、１４〜３５ｗ／ｗ％製剤の量で製剤中に提供される、請求項１〜５のいずれか一項に記載の組成物。
【請求項８】
前記化合物は、１８．５ｗ／ｗ％製剤の量で製剤中に提供される、請求項１〜７のいずれか一項に記載の組成物。
【請求項９】
前記油脂性基剤は、約１〜９９％ｗ／ｗ製剤の量で提供される、請求項１〜８のいずれか一項に記載の組成物。
【請求項１０】
前記油脂性基剤は、５０〜６５％ｗ／ｗ基剤の量で飽和脂肪酸を含む、請求項１〜９のいずれか一項に記載の組成物。
【請求項１１】
前記油脂性基剤は、
２５〜４０％ｗ／ｗ基剤の量でステアリン酸、及び／又は
２５〜３０％ｗ／ｗ基剤の量でパルミチン酸、及び／又は
＜２％ｗ／ｗ基剤の量でミリスチン酸、アラキジン酸およびラウリン酸
を含む、請求項１０に記載の組成物。
【請求項１２】
請求項１〜１１のいずれか一項に記載の組成物から形成される坐剤、ペッサリーまたは同様のもの。
【請求項１３】
約４０〜８００ｍｇの量で化合物：
【化９】
2019510830.tif 000009
を含む、請求項１２に記載の坐剤。
【請求項１４】
前記化合物は、前記油脂性基剤に溶解されている、請求項１２又は１３に記載の坐剤。
【請求項１５】
がんの治療または予防を必要とする人においてがんを治療または予防するための医薬の製造における請求項１２〜１４のいずれか一項に記載の坐剤、ペッサリーまたは同様のものの使用。
【請求項１６】
化学療法又は放射線療法を必要とする癌を有する個人において、化学療法又は放射線療法へ、癌を感作させるための医薬の製造における、請求項１２〜１４のいずれか一項に記載の坐剤、ペッサリーまたは同様のものの使用であって、前記医薬が、補完的化学療法医薬である、使用。
【手続補正書】
【提出日】令和1年8月28日(2019.8.28)
【手続補正１】
【補正対象書類名】特許請求の範囲
【補正対象項目名】全文
【補正方法】変更
【補正の内容】
【特許請求の範囲】
【請求項１】
一本鎖ＤＮＡ（ｓｓＤＮＡ）のバーコード化されたポリヌクレオチドを、核酸のオリガミナノ構造体に組み込む方法であって：
（ａ）バーコード核酸の第一鎖の合成又は乳化剤性液滴の増殖を行い、二本鎖のバーコード核酸を生成し、前記バーコード核酸は、目的の遺伝子配列の保存領域に相補的な領域と、核酸のオリガミナノ構造体に相補的な配列により１側面に配置される中央５’−５’ホスホスジエステルリンカーからなる一本鎖５’−５’ボウタイ状のリンカー核酸の１側面に相補的な少なくとも１つのプライミング部位からなり；
（ｂ）前記二本鎖のバーコード核酸と前記５’−５’ボウタイ状のリンカー核酸を、標的核酸を伸長するための試薬からなる油乳化剤の液滴内で混合し；
（ｃ）前記５’−５’ボウタイ状のリンカー核酸上の相補的配列に前記二本鎖のバーコード核酸をアニーリングし、ｓｓＤＮＡのバーコード化された５’−５’ボウタイ状のポリヌクレオチドの伸長を生じるのに十分な前記二本鎖のバーコード核酸と前記５’−５’ボウタイ状のリンカー核酸からなる前記油乳化剤の液滴を熱サイクルにかけ、伸長液滴を生成して；
（ｄ）伸長物を前記伸長液滴から抽出し；
（ｅ）ｓｓＤＮＡのバーコード化された５’−５’ボウタイ状のポリヌクレオチドを前記抽出された伸長物から精製し；
（ｆ）前記精製されたｓｓＤＮＡのバーコード化された５’−５’ボウタイ状のポリヌクレオチドを核酸のオリガミナノ構造体に組み込むことを特徴とする、方法。
【請求項２】
組み込みは、前記精製されたｓｓＤＮＡのバーコード化された５’−５’ボウタイ状のポリヌクレオチドを、核酸のオリガミナノ構造体にアニーリングすることからなることを特徴とする、請求項１記載の方法。
【請求項３】
前記核酸のオリガミナノ構造体は、ＤＮＡナノ構造体であることを特徴とする、請求項１記載の方法。
【請求項４】
標的核酸配列を単細胞レベルで検出するための方法であって、
（ａ）請求項１記載の方法にしたがって得られる核酸のオリガミナノ構造体を単細胞内の核酸に接触させ、前記ナノ構造体は、標的核酸配列に相補的な捕捉配列を有する一本鎖のバーコード化されたポリヌクレオチドからなり；接触は、単細胞中に存在する場合、前記捕捉配列を前記標的核酸配列に結合させるのに適切な条件で起こり、
（ｂ）前記一本鎖のバーコード化されたポリヌクレオチド捕捉配列に結合された標的核酸配列を回収し；
（ｃ）前記一本鎖のバーコード化されたポリヌクレオチドを逆転写用の遺伝子特異的プライマーとして使用して、前記回収された標的核酸配列を逆転写して、それによって、標的核酸は、細胞内に存在する場合、逆転写の生成物をシーケンスすることにより、単細胞選別工程がなくても検出されることを特徴とする、方法。
【請求項５】
前記核酸のオリガミナノ構造体は、ＤＮＡナノ構造体であることを特徴とする、請求項４記載の方法。
【請求項６】
Ｂ細胞受容体の配列を単細胞レベルで検出する方法であって、
（ａ）Ｂ細胞に請求項１記載の方法にしたがって得られ、免疫グロブリンのＨ鎖（ＩｇＨ）とＬ鎖（ＩｇＬ）のＢ細胞受容体のｍＲＮＡに相補的な１つ以上の一本鎖のバーコード化された核酸捕捉配列からなる核酸オリガミナノ構造をトランスフェクトし；
（ｂ）１つ以上の一本鎖のバーコード化された核酸捕捉配列からなる前記核酸のオリガミナノ構造体を、免疫グロブリンのＨ鎖（ＩｇＨ）とＬ鎖（ＩｇＬ）のＢ細胞受容体のｍＲＮＡで接触させ、前記ｍＲＮＡを前記トランスフェクトされたＢ細胞内に結合及び保護し；
（ｃ）前記接触された核酸のオリガミナノ構造体を分離し、前記１つ以上の一本鎖のバーコード化された核酸捕捉配列に結合されたＩｇＨとＩｇＬのｍＲＮＡを回収し；
（ｄ）前記１つ以上の一本鎖のバーコード化された核酸捕捉配列を逆転写用の遺伝子特異的プライマーとして使用し、前記回収されたＩｇＨとＩｇＬのｍＲＮＡを逆転写して、それによって、標的Ｂ細胞受容体の配列は、逆転写の生成物をシーケンスすることにより、単細胞選別工程がなくても検出されることを特徴とする、方法。
【請求項７】
前記ＤＮＡオリガミナノ構造体は、一体型ビオチン標識からなり、前記接触されたナノ構造体の分離は、アビジンカラムによる精製からなることを特徴とする、請求項６記載の方法。
【請求項８】
前記標的核酸配列は、細胞受容体をコードする配列からなることを特徴とする、請求項４記載の方法。
【請求項９】
細胞受容体をコードする前記配列は、Ｂ細胞受容体の配列からなることを特徴とする、請求項８記載の方法。
【請求項１０】
細胞受容体をコードする前記配列は、Ｔ細胞受容体の配列からなることを特徴とする、請求項４記載の方法。
【請求項１１】
前記標的核酸配列は、自然発生又はゲノムＤＮＡ、ＲＮＡ、又は合成核酸配列からなることを特徴とする、請求項４記載の方法。
【請求項１２】
前記核酸のオリガミナノ構造体は、一体型ビオチン標識からなり、前記標的核酸配列は、前記接触されたナノ構造体を分離することにより回収され、前記接触されたナノ構造体の分離は、アビジンカラムによる精製からなることを特徴とする、請求項４記載の方法。